(57)【要約】【課題】パラメータの変更により料金が取り扱い金額の上限を超えてしまっても、料金を取り扱い金額の上限以内に自動で納めることが可能な画像処理装置およびそのパラメータ調整方法を提供する。【解決手段】ユーザがパラメータを変更すると、第１のシステム制御部は料金テーブルに基づき、パラメータに対応する課金合計がＭ／Ｆ機で扱える金額の範囲内であるか否か確認する。範囲外であると確認した場合、第１のシステム制御部は課金合計がＭ／Ｆ機で扱える金額の範囲内に納まるように出力部数パラメータの現在値および上限値を変更し、出力部数パラメータの現在値を変更した旨、または出力部数パラメータの上限値を変更した旨を操作パネルに表示する。【選択図】図３
2006071758.tif 000002
【特許請求の範囲】
【請求項１】
受け付けた画像を処理する画像処理装置において、
前記画像の処理に関するパラメータを受け付けるパラメータ受付手段と、
前記パラメータに応じた前記画像の処理に必要な料金を格納する料金テーブルと、
前記料金テーブルに基づき、前記パラメータ受付手段で受け付けたパラメータに応じた前記料金を算出する料金算出手段と、
前記パラメータ受付手段で第１のパラメータを受け付けた後に、該パラメータ受付手段で第２のパラメータを受け付け、該受け付けた第２のパラメータに応じて前記料金算出手段が算出した料金が予め設定した金額を超えるか否か判断する判断手段と、
前記判断手段で前記第２のパラメータに応じた料金が前記設定した金額を超えると判断した場合、前記第２のパラメータを前記画像の処理に必要な料金が前記設定した金額内に収まる第３のパラメータに変更するパラメータ変更手段と
を具備することを特徴とする画像処理装置。
【請求項２】
前記パラメータおよび前記料金を表示する表示手段
を更に具備し、
前記表示手段は、
前記パラメータ変更手段で変更された第３のパラメータを表示する
ことを特徴とする請求項１記載の画像処理装置。
【請求項３】
前記表示手段は、
前記第３のパラメータに変更された旨を表示する
ことを特徴とする請求項２記載の画像処理装置。
【請求項４】
前記表示手段は、
前記第３のパラメータが前記予め設定した金額内に収まるための最大値である旨を表示する
ことを特徴とする請求項２記載の画像処理装置。
【請求項５】
前記表示手段は、
前記第３のパラメータに従う前記料金を表示する
ことを特徴とする請求項２記載の画像処理装置。
【請求項６】
前記パラメータ変更手段で変更されるパラメータは、出力部数である
ことを特徴とする請求項１記載の画像処理装置。
【請求項７】
受け付けた画像を処理する画像処理装置のパラメータ調整方法において、
前記画像の処理に関する第１のパラメータを受け付け、
第１のパラメータを受け付けた後に、第２のパラメータを受け付け、パラメータに応じた前記画像の処理に必要な料金を格納する料金テーブルに基づき、該第２のパラメータに応じた料金を算出し、
該算出した料金が予め設定した金額を超えるか否か判断し、
該判断により前記第２のパラメータに応じた料金が前記設定した金額を超えると判断した場合、前記第２のパラメータを前記画像の処理に必要な料金が前記設定した金額内に収まる第３のパラメータに変更する
ことを特徴とする画像処理装置のパラメータ調整方法。
【請求項８】
前記第３のパラメータに変更した際に、該第３のパラメータを表示する
ことを特徴とする請求項７記載の画像処理装置のパラメータ調整方法。
【請求項９】
前記第３のパラメータに変更された旨を表示する
ことを特徴とする請求項８記載の画像処理装置のパラメータ調整方法。
【請求項１０】
前記第３のパラメータが前記予め設定した金額内に収まるための最大値である旨を表示する
ことを特徴とする請求項８記載の画像処理装置のパラメータ調整方法。
【請求項１１】
前記第３のパラメータに従う前記料金を表示する
ことを特徴とする請求項８記載の画像処理装置のパラメータ調整方法。
【請求項１２】
前記変更されるパラメータは、
出力部数である
ことを特徴とする請求項７記載の画像処理装置のパラメータ調整方法。
【発明の詳細な説明】
【技術分野】
【０００１】
本発明は、画像処理装置およびそのパラメータ調整方法に関し、特に、店舗に導入され、顧客にサービスを提供する画像処理装置およびそのパラメータ調整方法に関する。
【背景技術】
【０００２】
近年、多くの機能を搭載した複写機、プリンタ等の画像処理装置が広く用いられ、このような画像処理装置をコンビニエンスストア、コピーセンター等の店舗に設置し、顧客が画像処理装置でコピー処理を行い、行ったコピー処理に応じた料金を店舗に支払うという形態が普及している。ここで、コピー処理に応じた料金とは、顧客がコピー処理を行う前に設定するコピー処理に対するパラメータ（例えば、コピーの種類、カラーモード、原稿サイズ、コピーの部数等）に応じて計算される料金である。
【０００３】
例えば、顧客が最初にコインキットに投入した金額内で出力できるように、コピーの出力部数を自動調整する画像形成装置及び該画像形成装置を備えた画像処理装置がある（例えば、特許文献１参照。）。
【特許文献１】特開２００１−９２３１９号公報
【発明の開示】
【発明が解決しようとする課題】
【０００４】
しかし、顧客は入力ミス、勘違い等により一度設定したパラメータを変更する可能性があり、その際に改めてパラメータを変更した結果、料金が取り扱い金額の上限を超えてしまう場合があり、特許文献１に記載の技術では、顧客がパラメータを変更して料金が変わった際にコピーの出力部数等を自動調整することは困難である。
【０００５】
そこで、本発明は、パラメータの変更により料金が取り扱い金額の上限を超えてしまっても、料金を取り扱い金額の上限以内に自動で納めることが可能な画像処理装置およびそのパラメータ調整方法を提供することを目的とする。
【課題を解決するための手段】
【０００６】
上記目的を達成するため、請求項１の発明は、受け付けた画像を処理する画像処理装置において、前記画像の処理に関するパラメータを受け付けるパラメータ受付手段と、前記パラメータに応じた前記画像の処理に必要な料金を格納する料金テーブルと、前記料金テーブルに基づき、前記パラメータ受付手段で受け付けたパラメータに応じた前記料金を算出する料金算出手段と、前記パラメータ受付手段で第１のパラメータを受け付けた後に、該パラメータ受付手段で第２のパラメータを受け付け、該受け付けた第２のパラメータに応じて前記料金算出手段が算出した料金が予め設定した金額を超えるか否か判断する判断手段と、前記判断手段で前記第２のパラメータに応じた料金が前記設定した金額を超えると判断した場合、前記第２のパラメータを前記画像の処理に必要な料金が前記設定した金額内に収まる第３のパラメータに変更するパラメータ変更手段とを具備することを特徴とする。
【０００７】
また、請求項２の発明は、請求項１の発明において、前記パラメータおよび前記料金を表示する表示手段を更に具備し、前記表示手段は、前記パラメータ変更手段で変更された第３のパラメータを表示することを特徴とする。
【０００８】
また、請求項３の発明は、請求項２の発明において、前記表示手段は、前記第３のパラメータに変更された旨を表示することを特徴とする。
【０００９】
また、請求項４の発明は、請求項２の発明において、前記表示手段は、前記第３のパラメータが前記予め設定した金額内に収まるための最大値である旨を表示することを特徴とする。
【００１０】
また、請求項５の発明は、請求項２の発明において、前記表示手段は、前記第３のパラメータに従う前記料金を表示することを特徴とする。
【００１１】
また、請求項６の発明は、請求項１の発明において、前記パラメータ変更手段で変更されるパラメータは、出力部数であることを特徴とする。
【００１２】
また、請求項７の発明は、受け付けた画像を処理する画像処理装置のパラメータ調整方法において、前記画像の処理に関する第１のパラメータを受け付け、第１のパラメータを受け付けた後に、第２のパラメータを受け付け、パラメータに応じた前記画像の処理に必要な料金を格納する料金テーブルに基づき、該第２のパラメータに応じた料金を算出し、該算出した料金が予め設定した金額を超えるか否か判断し、該判断により前記第２のパラメータに応じた料金が前記設定した金額を超えると判断した場合、前記第２のパラメータを前記画像の処理に必要な料金が前記設定した金額内に収まる第３のパラメータに変更することを特徴とする。
【００１３】
また、請求項８の発明は、請求項７の発明において、前記第３のパラメータに変更した際に、該第３のパラメータを表示することを特徴とする。
【００１４】
また、請求項９の発明は、請求項８の発明において、前記第３のパラメータに変更された旨を表示することを特徴とする。
【００１５】
また、請求項１０の発明は、請求項８の発明において、前記第３のパラメータが前記予め設定した金額内に収まるための最大値である旨を表示することを特徴とする。
【００１６】
また、請求項１１の発明は、請求項８の発明において、前記第３のパラメータに従う前記料金を表示することを特徴とする。
【００１７】
また、請求項１２の発明は、請求項７の発明において、前記変更されるパラメータは、出力部数であることを特徴とする。
【発明の効果】
【００１８】
本発明によれば、ユーザに出力部数パラメータの変更を要求して、課金合計が画像処理装置で扱える金額の上限以内に収めてもらう手間が不要になるという効果を奏する。
【００１９】
また、本発明によれば、ユーザが再度出力部数パラメータを設定する際に、既に画像処理装置によって上限値が有効な値に変更されているので、無効な値を設定することがなくなるという効果を奏する。
【発明を実施するための最良の形態】
【００２０】
以下、本発明に係る画像処理装置およびそのパラメータ調整方法の実施の形態について添付図面を参照して詳細に説明する。
【００２１】
図１は、本発明を適用したマルチファンクション機１の外観の一例を示す図である。
【００２２】
図１に示すように、コピー機能、ファクス機能、プリンタ機能、スキャナ機能を有するマルチファンクション機（以後、Ｍ／Ｆ機と称する）１は、原稿を読み取るスキャナ２、スキャナ２を制御するスキャナ制御部３、画像処理を行なう画像処理部４、画像を用紙にプリントするプリンタ５、プリンタ５を制御するプリンタ制御部６、プリンタ５から出力された用紙に後処理を施す後処理部７、公衆回線１６を介するファクス通信を行うファクス制御部８、ユーザがＭ／Ｆ機１のサービスを利用するためのＵＩ（User Interface）画面を表示するとともに、ユーザからのＭ／Ｆ機１の各機能に対するパラメータの設定を受け付ける液晶タッチパネル方の操作パネル９、記憶デバイス／メディア上のファイルを管理するファイルシステム１０、Ｍ／Ｆ機１のサービスを利用するために必要な料金を投入するコインキット１１、これらの各構成部の制御処理を行う第１のシステム制御部１２および第２のシステム制御部１３を具備して構成される。
【００２３】
図２は、Ｍ／Ｆ機１のシステム構成の一例を示すブロック図である。
【００２４】
第１のシステム制御部１２は操作パネル９と接続し、操作パネル上のＵＩ画面の表示制御、操作パネル９が受け付けたパラメータに基づいてジョブを生成する処理を行う。また、第１のシステム制御部１２はファイルシステム１０と接続し、ファイルシステム１０の管理を行う。また、第１のシステム制御部１２はコインキット接続し、コインキットに投入された金額の情報を受け取り、受け取った金額の情報の処理を行う。また、第１のシステム制御部１２はローカルネットワーク１４と接続し、ローカルネットワーク１４と接続する外部ネットワーク１５を介したネットワーク通信を行う。また、第１のシステム制御部１２は第２のシステム制御部１３と接続し、ジョブおよび各機能に対する設定情報等を第２のシステム制御部１２に転送する処理、第２のシステム制御部１２から転送されるジョブの状態情報を受け取る処理を行う。
【００２５】
更に、ユーザが一度設定したパラメータを変更する際に、第１のシステム制御部１２は、ファイルシステム１０に格納されたパラメータに対応する料金テーブルに基づき、変更したパラメータに対応する課金合計を算出し、算出した課金合計がＭ／Ｆ機１で扱える金額の範囲内であるか否か確認し、範囲外であると確認した場合は課金合計がＭ／Ｆ機１で扱える範囲に収まるように出力部数パラメータの現在値および上限値を自動的に変更する。
【００２６】
第２のシステム制御部１３はスキャナ制御部３、画像処理部４、プリンタ制御部６およびファクス制御部８の制御を行なう。
【００２７】
次に、ユーザがパラメータを設定した際のＭ／Ｆ機１が行う機能的な動作について図２を参照して説明する。
【００２８】
ユーザが操作パネル９でパラメータを設定すると、設定したパラメータは第１のシステム制御部１２に転送され、第１のシステム制御部１２はパラメータを受け取ると、ファイルシステム１０に格納されたパラメータに対応する料金テーブルに基づき、受け取ったパラメータに対応する課金合計および不足金額を算出し、算出した課金合計および不足金額を操作パネル９に表示する。
【００２９】
次に、ユーザが一度設定したパラメータを変更した際のＭ／Ｆ機１が行う機能的な動作について図２を参照して説明する。
【００３０】
ユーザが操作パネル９でパラメータを変更すると、変更したパラメータは第１のシステム制御部１２に転送され、第１のシステム制御部１２はパラメータを受け取ると、ファイルシステム１０に格納されたパラメータに対応する料金テーブルに基づき、受け取ったパラメータに対応する課金合計がＭ／Ｆ機１で扱える金額の範囲内であるか否か確認する。
【００３１】
範囲内であると確認した場合、第１のシステム制御部１２は不足金額を算出し、課金合計および不足金額を操作パネルに表示する。
【００３２】
範囲外であると確認した場合、第１のシステム制御部１２は課金合計がＭ／Ｆ機１で扱える金額の範囲内に納まるように出力部数パラメータの現在値および上限値を変更し、出力部数パラメータの現在値を変更した旨、または出力部数パラメータの上限値を変更した旨を操作パネル９に表示する。
【００３３】
次に、ユーザが一度設定したパラメータを変更した際にＭ／Ｆ機１が行うパラメータ調整の処理手順について図３に示すフローチャートを参照して説明する。
【００３４】
ユーザがパラメータを設定し（ステップＳ３０１）、その後、ユーザがパラメータを変更すると（ステップＳ３０２）、変更したパラメータに対応する課金合計がＭ／Ｆ機で扱える金額の範囲内であるか否か確認し（ステップＳ３０３）、範囲外であると確認した場合（ステップＳ３０３でＮＯ）、ステップＳ３０４に進み、範囲内であると確認した場合（ステップＳ３０３でＹＥＳ）、ステップＳ３０５に進む。
【００３５】
範囲外であると確認した場合（ステップＳ３０３でＮＯ）、課金合計がＭ／Ｆ機で扱える範囲に収まるように出力部数パラメータの現在値および上限値を自動的に変更し（ステップＳ３０４）、ステップＳ３０５に進む。
【００３６】
処理準備が完了し（ステップＳ３０５）、パラメータ調整の処理手順を終了する。
【００３７】
次に、Ｍ／Ｆ機が行うパラメータ調整について第１の具体例を用いて説明する。なお、本実施例において、Ｍ／Ｆ機の扱える金額の上限を１０，０００円とする。
【００３８】
図４は、操作パネル９に表示されたメインメニュー画面１７の一例を示す図である。
【００３９】
ユーザは操作パネル９に表示されたメインメニュー画面１７から、利用するＭ／Ｆ機１のサービス（図４では、コピーサービス、写真プリントサービス、ファクスサービス）を選択する。
【００４０】
ここで、ユーザがコピーサービスを選択すると、操作パネル９にはコイン投入画面が表示される。
【００４１】
図５は、操作パネル９に表示されたコイン投入画面１８の一例を示す図である。
【００４２】
ユーザが操作パネル９に表示されたコイン投入画面１８上のコピー料金表を確認し、コイン（硬貨）をコインキットに投入すると、操作パネル９にはコピー種類選択画面が表示される。
【００４３】
図６は、操作パネル９に表示されたコピー種類選択画面１９の一例を示す図である。
【００４４】
ユーザは操作パネル９に表示されたコピー種類選択画面１９から、利用するコピー種類（図６では、カラーモードとしてフルカラーコピー、白黒コピー、単色カラーコピー、その他のコピーとしてポスターコピー、写真コピー、写真くり返しコピー）を選択する。
【００４５】
ここで、ユーザがポスターコピーを選択すると、操作パネル９にはポスターコピーパラメータ設定画面が表示される。なお、ポスターコピーとは、原稿１ページ分を複数枚に分割し、拡大してプリントすることである。
【００４６】
図７は、操作パネル９に表示されたポスターコピーパラメータ設定画面２０の一例を示す図である。
【００４７】
ユーザは操作パネル９に表示されたポスターコピーパラメータ設定画面２０から、パラメータ（図７では、カラーモードとしてフルカラー、白黒、原稿サイズとしてＢ５、Ａ４、Ｂ４、Ａ３、出来上がりサイズとしてＢ４×４枚、Ｂ４×９枚、Ｂ４×１６枚、Ａ３×４枚、Ａ３×９枚、Ａ３×１６枚）を設定する。
【００４８】
ここで、ユーザがカラーモードを「フルカラー」に設定し、原稿サイズを「Ａ３」に設定し、出来上がりサイズを「Ｂ４×４枚」に設定し、「これで決定」ボタンを押下等すると、操作パネルにはコピー出力部数設定画面が表示される。
【００４９】
図８は、操作パネル９に表示されたコピー出力部数設定画面２１の一例を示す図である。
【００５０】
ユーザが操作パネル９に表示されたコピー出力部数設定画面２１から、コピー出力部数を設定すると、設定したコピー出力部数に応じて、コピーにかかる料金が表示されるとともに、現在のコインキット１１への投入金額と不足金額とが表示され、「コピースタート」ボタンが有効になり、ユーザによるコピー開始の指示が可能になる。なお、図８では、「フルカラー」、「Ａ３」、「Ｂ４×４枚」のポスターコピーのコピー出力部数が１部に設定されているため、操作パネル９に表示されたコピー出力部数設定画面２１において、コピー合計枚数は４枚と表示され、コピーにかかる料金は「２００円」（５０円×４枚）と表示され、現在の投入金額が１０円なので、不足金額は「１９０円」（２００円−１０円）と表示される。
【００５１】
ここで、ユーザが「コピー出力部数増加」ボタンを押下等し、コピー出力部数を増加させていくと、本実施例のＭ／Ｆ機１の扱える金額の上限は１０，０００円であるため、「Ｂ４×４枚」のポスターコピーのコピー出力部数の上限値は５０部（１部２００円×５０部＝１０，０００円）なので、コピー出力部数を５０部まで増加させると、操作パネルには図９に示すコピー出力部数設定画面２１が表示される。
【００５２】
図９は、ユーザがコピー出力部数を上限値に設定した際に操作パネル９に表示されたコピー出力部数設定画面２１の一例を示す図である。
【００５３】
図９に示すように、操作パネル９に表示されたコピー出力部数設定画面２１において、コピー出力部数は上限値である「５０部」と表示され、コピー出力部数は「２００枚」（４枚×５０部）と表示され、コピーにかかる料金は「１０，０００円」（５０円×２００枚）と表示され、現在の投入金額が１０円なので、不足金額は「９，９９０円」（１０，０００円−１０円）と表示される。なお、コピー出力部数が上限値に設定されているため、「コピー出力部数増加」ボタンが無効になる。
【００５４】
ここで、ユーザが操作パネル９にポスターコピーパラメータ設定画面２０を表示し、コピー出力部数を５０部に保持して、できあがりサイズを「Ｂ４×４枚」から「Ａ３×１６枚」に変更すると、操作パネルには図１０に示すポスターコピーパラメータ設定画面２０が表示される。
【００５５】
図１０は、ユーザができあがりサイズを変更した際に操作パネル９に表示されたポスターコピーパラメータ設定画面２０の一例を示す図である。
【００５６】
コピー出力部数を５０部に保持して、できあがりサイズを「Ｂ４×４枚」から「Ａ３×１６枚」に変更すると、コピー合計枚数は８００枚（１６枚×５０部）になり、Ａ３を８００枚出力するための料金は１６，０００円（８０円×８００枚）になり、Ｍ／Ｆ機１の扱える金額の上限である１０，０００円を超えてしまう。
【００５７】
従って、コピーにかかる金額をＭ／Ｆ機１の扱える金額の上限である１０，０００円以内に収めるために、コピー出力部数を７部（１６枚×７部×８０円＝８，９６０円＜１０，０００円）に変更する。そして、操作パネル９に表示されたポスターコピーパラメータ設定画面２０において、コピー合計枚数は「１１２枚」（１６枚×７部）と表示され、現在の投入金額が１０円なので、不足金額は「８，９５０円」（８，９６０円−１０円）と表示されるとともに、「投入金額の制限により、部数が７部に変更されました。」のメッセージが表示される。
【００５８】
図１１は、Ｍ／Ｆ機１の扱える金額の上限以内に収めるためにパラメータを変更した後に操作パネル９に表示されたコピー出力部数設定画面２１の一例を示す図である。
【００５９】
コピーにかかる金額をＭ／Ｆ機１の扱える金額の上限である１０，０００円以内に収めるために、コピー出力部数を７部に変更したので、図１１に示すように、操作パネル９に表示されたコピー出力部数設定画面２１において、コピー出力部数は「７部」と表示され、コピーにかかる金は「８，９６０円」と表示されるとともに、「投入金額の制限により、部数の最大値は７部になります」のメッセージが表示される。
【００６０】
ここで、ユーザが「コピースタート」ボタンを押下等すると、操作パネル９には図１２に示すコピー出力部数設定画面２１が表示される。
【００６１】
図１２は、投入金額が不足している状態で「コピースタート」ボタンを押下等した際に操作パネル９に表示されたコピー出力部数設定画面２１の一例を示す図である。
【００６２】
図１２に示すように、操作パネル９に表示されたコピー出力部数設定画面２１において、「必要な金額が不足しています。画面右下の「不足金額」分のコインを入れてください。」のメッセージが表示される。
【００６３】
次に、Ｍ／Ｆ機１が行うパラメータ調整について第２の具体例を用いて説明する。なお、本実施例において、Ｍ／Ｆ機１の扱える金額の上限を１０，０００円とする。
【００６４】
ユーザは図４に示す操作パネル９に表示されたメインメニュー画面１７から、利用するＭ／Ｆ機１のサービス（図４では、コピーサービス、写真プリントサービス、ファクスサービス）を選択する。
【００６５】
ここで、ユーザがコピーサービスを選択すると、操作パネル９には図５に示すコイン投入画面１８が表示される。
【００６６】
ユーザが操作パネル９に表示されたコイン投入画面１８上のコピー料金表を確認し、コイン（硬貨）をコインキットに投入すると、操作パネル９には図６に示すコピー種類選択画面１９が表示される。
【００６７】
ユーザは操作パネル９に表示されたコピー種類選択画面１９から、利用するコピー種類（図６では、カラーモードとしてフルカラーコピー、白黒コピー、単色カラーコピー、その他のコピーとしてポスターコピー、写真コピー、写真くり返しコピー）を選択する。
【００６８】
ここで、ユーザがポスターコピーを選択すると、操作パネル９にはポスターコピーパラメータ設定画面２０が表示される。なお、ポスターコピーとは、原稿１ページ分を複数枚に分割し、拡大してプリントすることである。
【００６９】
図１３は、操作パネル９に表示されたポスターコピーパラメータ設定画面２０の一例を示す図である。
【００７０】
ユーザは操作パネル９に表示されたポスターコピーパラメータ設定画面２０から、パラメータ（図１３では、カラーモードとしてフルカラー、白黒、原稿サイズとしてＢ５、Ａ４、Ｂ４、Ａ３、出来上がりサイズとしてＢ４×４枚、Ｂ４×９枚、Ｂ４×１６枚、Ａ３×４枚、Ａ３×９枚、Ａ３×１６枚）を設定する。
【００７１】
ここで、ユーザがカラーモードを「白黒」に設定し、原稿サイズを「Ａ３」に設定し、出来上がりサイズを「Ａ３×１６枚」に設定し、「これで決定」ボタンを押下等すると、操作パネルにはコピー出力部数設定画面２１が表示される。
【００７２】
図１４は、操作パネル９に表示されたコピー出力部数設定画面２１の一例を示す図である。
【００７３】
ユーザが操作パネル９に表示されたコピー出力部数設定画面２１から、コピー出力部数を設定すると、設定したコピー出力部数に応じて、コピーにかかる料金が表示されるとともに、現在のコインキット１１への投入金額と不足金額とが表示され、「コピースタート」ボタンが有効になり、ユーザによるコピー開始の指示が可能になる。なお、図１４では、「白黒」、「Ａ３」、「Ａ３×１６枚」のポスターコピーのコピー出力部数が１部に設定されているため、操作パネルに表示されたコピー出力部数設定画面２１において、コピー合計枚数は１６枚と表示され、コピーにかかる料金は「１６０円」（１０円×１６枚）と表示され、現在の投入金額が１０円なので、不足金額は「１５０円」（１６０円−１０円）と表示される。
【００７４】
ここで、ユーザが「コピー出力部数増加」ボタンを押下等し、コピー出力部数を増加させていくと、本実施例のＭ／Ｆ機１の扱える金額の上限は１０，０００円であるため、「Ａ３×１６枚」のポスターコピーのコピー出力部数の上限値は６２部（１部１６０円×６２部＝９９２０円＜１０，０００円）なので、コピー出力部数を６２部まで増加させると、操作パネルには図１５に示すコピー出力部数設定画面２１が表示される。
【００７５】
図１５は、ユーザがコピー出力部数を上限値に設定した際に操作パネル９に表示されたコピー出力部数設定画面２１の一例を示す図である。
【００７６】
図１５に示すように、操作パネル９に表示されたコピー出力部数設定画面２１において、コピー出力部数は上限値である「６２部」と表示され、コピー出力部数は「９９２枚」（１６枚×６２部）と表示され、コピーにかかる料金は「９，９２０円」（１０円×９９２枚）と表示され、現在の投入金額が１０円なので、不足金額は「９，９１０円」（９，９２０円−１０円）と表示される。なお、コピー出力部数が上限値に設定されているため、「コピー出力部数増加」ボタンが無効になる。
【００７７】
ここで、ユーザが操作パネル９にポスターコピーパラメータ設定画面２０を表示し、コピー出力部数を６２部に保持して、カラーモードを「白黒」から「フルカラー」に変更すると、操作パネルには図１６に示すポスターコピーパラメータ設定画面２０が表示される。
【００７８】
図１６は、ユーザがカラーモードを変更した際に操作パネル９に表示されたポスターコピーパラメータ設定画面２０の一例を示す図である。
【００７９】
コピー出力部数を６２部に保持して、カラーモードを「白黒」から「フルカラー」に変更すると、１枚のコピー料金は８０円になり、Ａ３を９９２枚出力するための料金は７９，２６０円（８０円×９９２枚）になり、Ｍ／Ｆ機１の扱える金額の上限である１０，０００円を超えてしまう。
【００８０】
従って、コピーにかかる金額をＭ／Ｆ機１の扱える金額の上限である１０，０００円以内に収めるために、コピー出力部数を７部（１６枚×７部×８０円＝８，９６０円＜１０，０００円）に変更する。そして、操作パネル９に表示されたポスターコピーパラメータ設定画面２０において、コピー合計枚数は「１１２枚」（１６枚×７部）と表示され、現在の投入金額が１０円なので、不足金額は「８，９５０円」（８，９６０円−１０円）と表示されるとともに、「投入金額の制限により、部数が７部に変更されました。」のメッセージが表示される。
【００８１】
図１７は、Ｍ／Ｆ機１の扱える金額の上限以内に収めるためにパラメータを変更した後に操作パネル９に表示されたコピー出力部数設定画面２１の一例を示す図である。
【００８２】
コピーにかかる金額をＭ／Ｆ機１の扱える金額の上限である１０，０００円以内に収めるために、コピー出力部数を７部に変更したので、図１７に示すように、操作パネル９に表示されたコピー出力部数設定画面２１において、コピー出力部数は「７部」と表示され、コピーにかかる金は「８，９６０円」と表示されるとともに、「投入金額の制限により、部数の最大値は７部になります」のメッセージが表示される。
【図面の簡単な説明】
【００８３】
【図１】本発明を適用したマルチファンクション機１の外観の一例を示す図である。
【図２】Ｍ／Ｆ機１のシステム構成の一例を示すブロック図である。
【図３】ユーザが一度設定したパラメータを変更した際にＭ／Ｆ機１が行うパラメータ調整の処理手順を示すフローチャートである。
【図４】操作パネル９に表示されたメインメニュー画面１７の一例を示す図である。
【図５】操作パネル９に表示されたコイン投入画面１８の一例を示す図である。
【図６】操作パネル９に表示されたコピー種類選択画面１９の一例を示す図である。
【図７】操作パネル９に表示されたポスターコピーパラメータ設定画面２０の一例を示す図である。
【図８】操作パネル９に表示されたコピー出力部数設定画面２１の一例を示す図である。
【図９】ユーザがコピー出力部数を上限値に設定した際に操作パネル９に表示されたコピー出力部数設定画面２１の一例を示す図である。
【図１０】ユーザができあがりサイズを変更した際に操作パネル９に表示されたポスターコピーパラメータ設定画面２０の一例を示す図である。
【図１１】Ｍ／Ｆ機１の扱える金額の上限以内に収めるためにパラメータを変更した後に操作パネル９に表示されたコピー出力部数設定画面２１の一例を示す図である。
【図１２】投入金額が不足している状態で「コピースタート」ボタンを押下等した際に操作パネル９に表示されたコピー出力部数設定画面２１の一例を示す図である。
【図１３】操作パネル９に表示されたポスターコピーパラメータ設定画面２０の一例を示す図である。
【図１４】操作パネル９に表示されたコピー出力部数設定画面２１の一例を示す図である。
【図１５】ユーザがコピー出力部数を上限値に設定した際に操作パネル９に表示されたコピー出力部数設定画面２１の一例を示す図である。
【図１６】ユーザがカラーモードを変更した際に操作パネル９に表示されたポスターコピーパラメータ設定画面２０の一例を示す図である。
【図１７】Ｍ／Ｆ機１の扱える金額の上限以内に収めるためにパラメータを変更した後に操作パネル９に表示されたコピー出力部数設定画面２１の一例を示す図である。
【符号の説明】
【００８４】
１    マルチファンクション機
２    スキャナ
３    スキャナ制御部
４    画像処理部
５    プリンタ
６    プリンタ制御部
７    後処理部
８    ファクス制御部
９    操作パネル
１０    ファイルシステム
１１    コインキット
１２    第１のシステム制御部
１３    第２のシステム制御部
１４    ローカルネットワーク
１５    外部ネットワーク
１６    公衆回線
１７    メインメニュー画面
１８    コイン投入画面
１９    コピー種類選択画面
２０    ポスターコピーパラメータ設定画面
２１    コピー出力部数設定画面
【図１】
2006071758.tif 000003
【図２】
2006071758.tif 000004
【図３】
2006071758.tif 000005
【図４】
2006071758.tif 000006
【図５】
2006071758.tif 000007
【図６】
2006071758.tif 000008
【図７】
2006071758.tif 000009
【図８】
2006071758.tif 000010
【図９】
2006071758.tif 000011
【図１０】
2006071758.tif 000012
【図１１】
2006071758.tif 000013
【図１２】
2006071758.tif 000014
【図１３】
2006071758.tif 000015
【図１４】
2006071758.tif 000016
【図１５】
2006071758.tif 000017
【図１６】
2006071758.tif 000018
【図１７】
2006071758.tif 000019